(57)【要約】【課題】落とし口に接続する垂下筒を覆うカバー部を回転可能とし、体裁よく目隠しする位置で回転を規制してカバー部を装着できる集水器を提供する。【解決手段】落とし口１３に接続される円筒状の垂下筒２とカバー部Ｂとからなる集水器１であって、該垂下筒２の外周面には係止用鍔部２１が周設され、該係止用鍔部２１の上方には複数の係止突起２２が一定間隔で設けられるとともに、上記カバー部Ｂは垂下筒２に接続されるリング部３と該リング部３を囲んで複数のリブ５で連結される化粧カバー部４とからなり、該リング部３の内周面上部には上記係止突起２２と嵌合する係止用凹部３２が形成され、上記係止用凹部３２の下方には上記係止用鍔部２１に弾性係合する係合片３１が一定間隔で設けられた集水器。【選択図】図１
2009167697.tif 000002
【特許請求の範囲】
【請求項１】
落とし口より円筒状の垂下筒が垂設された集水器本体と上記垂下筒に装着されるカバー部とからなる集水器であって、該垂下筒の外周面には係止用鍔部が周設され、該係止用鍔部の上方には係止突起が設けられるとともに、上記カバー部は垂下筒に接続されるリング部と該リング部を囲んで複数のリブで連結される化粧カバー部とからなり、該リング部の内周面上部には、上記係止突起と嵌合する係止用凹部が形成され、上記係止用凹部の下方には上記係止用鍔部に弾性係合する係合片が一定間隔で設けられた集水器。
【請求項２】
上記垂下筒の外周面には係止用鍔部が突出して周設され、該係止用鍔部の上面は略水平面とされるとともに、下面は傾斜面とされた請求項１に記載の集水器。
【請求項３】
上記係止用鍔部の上方に突設される係止突起は複数であるとともに、該係止突起に嵌合する係止用凹部が一つである請求項１に記載の集水器。
【請求項４】
上記集水器本体とこの集水器本体に装着されるカバー部とが、おのおの弾性を有する合成樹脂から一体的に成形されたものである請求項１に記載の集水器。
【発明の詳細な説明】
【技術分野】
【０００１】
本願発明は、軒樋から竪樋へ排水する際に用いられる集水器の構造に関し、更に詳しくは、集水器本体の底面から突出する垂下筒とこの垂下筒を目隠しするカバー部とからなる集水器の構造に関するものである。
【背景技術】
【０００２】
建物の屋根に降った雨水は、軒先に取り付けられた軒樋に流下し、集水器を経て竪樋等の排水経路に排出される。すなわち、集水器に集められた雨水は、集水器の底面に設けられた落とし口から直接竪樋に、または、落とし口に接続されたエルボ、或いはエルボと呼び樋等を介して竪樋に排水される。
【０００３】
上記、集水器と竪樋との接続構造に関しては、従来、種々の提案がなされており、例えば、特許第２６０３７１８号公報には、下記構成の継手接続構造が開示されている。
【０００４】
すなわち、上記特許文献には、集水器の下部に排水筒を設けると共に排水筒の外周に回転自在に接続環を装着し、接続環の内周側に内外方向に変形し得る弾性片を設け、接続環と排水筒との間に継手の上部を挿入し、弾性片に設けた係止部と継手の上端に設けた被係止部とを係止し、接続環を回転させることにより係止部が被係止部から離れるように弾性片を外側に変形させたり係止部が被係止部に係止するように弾性片を内側に変形させたりするカム部を排水筒の外周に設け、係止部を被係止部に係止させた状態で弾性片が外側に変形するのを阻止する規制部をカム部の外周に設けて成ることを特徴とする集水器への継手接続構造が記載されている。
【０００５】
そして、集水器にエルボのような継手を接続する場合、集水器の下部に設けられた排水筒に継手の上部を被嵌して集水器に継手を着脱自在に接続できるため、掃除や補修等が容易にできる等の効果が述べられている。
【特許文献１】特許第２６０３７１８号公報
【発明の開示】
【発明が解決しようとする課題】
【０００６】
上記特許文献１に記載の集水器への継手接続構造にあっては、集水器に継手を着脱自在に接続できるという効果があり、また、弾性片が外側に変形するのを阻止する規制部をカム部の外周に設けることにより、特定の位置で係止部を被係止部に係止させることができると述べられている。すなわち、上記特許文献１に記載の第１図、第２図、第７図に示されるように、特定の位置においてのみ、集水器と接続環とを一体的に接続できる。しかしながら、上記特許文献１に記載の技術は、集水器と接続環の大きさが異なる場合においては、必ずしも好ましく適用できるものとはいい難い。
【０００７】
本願発明は、上記背景技術に鑑みてなされたものであり、その目的は、集水器本体の底面に設けられた落とし口に接続される垂下筒を目隠しするカバー部を回転可能とし、かつ、集水器本体と壁面等の被固着面とが違和感なく納まるように所定の位置で回転を規制して位置決めし、作業性よく施工できる集水器を提供することである。
【課題を解決するための手段】
【０００８】
上記課題を解決するために、本願請求項１記載の発明に係る集水器は、落とし口より円筒状の垂下筒が垂設された集水器本体と上記垂下筒に装着されるカバー部とからなる集水器であって、該垂下筒の外周面には係止用鍔部が周設され、該係止用鍔部の上方には係止突起が設けられるとともに、上記カバー部は垂下筒に接続されるリング部と該リング部を囲んで複数のリブで連結される化粧カバー部とからなり、該リング部の内周面上部には、上記係止突起と嵌合する係止用凹部が形成され、上記係止用凹部の下方には上記係止用鍔部に弾性係合する係合片が一定間隔で設けられたことを特徴としている。
【０００９】
本願請求項２記載の発明は、上記請求項１記載の集水器において、上記垂下筒の外周面には係止用鍔部が突出して周設され、該係止用鍔部の上面は略水平面とされるとともに、下面は傾斜面とされたことを特徴としている。
【００１０】
本願請求項３記載の発明は、上記請求項１記載の集水器において、上記係止用鍔部の上方に突設される係止突起は複数であるとともに、該係止突起に嵌合する係止用凹部が一つであることを特徴としている。
【００１１】
本願請求項４記載の発明は、上記請求項１記載の集水器において、上記集水器本体とこの集水器本体に装着されるカバー部とが、おのおの弾性を有する合成樹脂から一体的に成形されたことを特徴としている。上記弾性を有する合成樹脂としては、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などが用いられる。
【発明の効果】
【００１２】
本願請求項１記載の発明に係る集水器においては、落とし口に接続する垂下筒の外周面には係止用鍔部が周設され、上記垂下筒に装着されるカバー部に内設されたリング部の内周面には上記係止用鍔部に弾性係合する係合片が一定間隔で設けられているため、弾性係合した後、リング部は垂下筒の外周に沿って回転可能となるため、カバー部自体も回転自在とすることができる。
【００１３】
また、係止用鍔部の上方には係止突起が設けられ、該リング部の内周面上部には上記係止突起と嵌合する係止用凹部が形成されているため、カバー部を垂下筒の外周に沿って回転させることにより、上記係止突起を係止用凹部に嵌合することができる。嵌合後はカバー部の回転が阻止され、風等の外力によりカバー部が勝手に回り、カバー部の納まり位置がずれることを防ぎ、化粧カバー部を建物と違和感なく配設することができるため、見映えよく集水器を施工できる。
【００１４】
本願請求項２記載の発明に係る集水器においては、特に、上記垂下筒の外周面には係止用鍔部が突出して周設され、該係止用鍔部の上面は略水平面とされるとともに、下面は傾斜面とされているため、この係止用鍔部に弾性係合するリング部の内周面に設けられた係合片の上面も傾斜面とすることにより、下方から装着する際の滑り性がよくなるとともに、係止用鍔部に抗して係合片が弾性的に変形し、カチッと係合させることができる。
【００１５】
係合後は、上記係止用鍔部の略水平な上面に係合片の略水平な下面が載置され、係合片は係止用鍔部の上面で摺動自在となるため、リング部を垂下筒の外周に沿って回転させることができる。そして、カバー部全体を垂下筒の外周に沿って容易に回転させることができる。
【００１６】
本願請求項３記載の発明に係る集水器においては、特に、上記係止用鍔部の上方に突設される係止突起を複数とするとともに、該係止突起に嵌合する係止用凹部を一つとすることにより、リング部を垂下筒の外周に沿って回転させ、複数の係止突起のひとつをリング部の内周面の上部に形成した係止用凹部に嵌合させることができる。ここで、集水器と被取着面との相対的な位置関係を考慮してカバー部を回転させるとともに、つぎつぎと上記係止突起を係止用凹部に嵌合させ、違和感のない位置を選んで上記嵌合を行うことにより、化粧カバー部を外観性よく配置することができる。
【００１７】
本願請求項４記載の発明に係る集水器においては、特に、上記集水器本体とこの集水器本体に装着されるカバー部とが、おのおの弾性を有する合成樹脂から一体的に成形されたものとすることにより、垂下筒の外周面に周設された係止用鍔部と、上記垂下筒に装着されるカバー部に内設されたリング部の内周面に設けられた係合片とをしっかりと弾性係合させることができる。
【発明を実施するための最良の形態】
【００１８】
図１は、弾性を有する合成樹脂である硬質塩化ビニル樹脂から形成された集水器本体Ａとカバー部Ｂとからなる本願発明に係る集水器を分解して示す説明図である。図１において、集水器本体Ａは正面図で、また、カバー部Ｂは斜視図で示されている。図２は、図１における集水器本体ＡをＸ−Ｘ線に沿う断面で示す縦断面図であり、図３は、図１に示すカバー部Ｂの要部を拡大して示す部分斜視図である。
【００１９】
図１、図２に示すように、集水器本体Ａは集水部１と垂下筒２とからなり、集水器本体Ａの正面１１の左右の角は面取りをされ、集水器本体Ａの後面左右上部には、上記集水器本体Ａを壁面等の被固着面にビス留めする際に用いる固定部１２が付設されている。また、図２に示すように、集水部１の底面には排水用の落とし口１３が設けられ、この落とし口１３は上記垂下筒２に連通するとともに、上記円筒状の垂下筒２の外周面には係止用鍔部２１が周設されている。
【００２０】
この係止用鍔部２１は、その上面２１１が略水平面であり、下面２１２は傾斜面であり、断面略直角三角形の円環状とされている。さらに、上記係止用鍔部２１の上方には９０度間隔で４個の係止突起２２が設けられ、この係止突起２２は、後記する係止用凹部に弾性的に嵌合される。
【００２１】
また、図１、図３に示すように、カバー部Ｂはリング部３とこのリング部３を囲んで４個のリブ５で連結される化粧カバー部４とからなり、リング部３の内周面上部には、上記係止突起２２に弾性的に嵌合する係止用凹部３２が形成され、リング部３の下端部３３は化粧カバー部４から突出するように設けられる。図外竪樋は、リング部３の下端部３３に嵌入され、集水器本体Ａからの雨水は図外竪樋を経て排水される。
【００２２】
図１、図３に示すように、上記係止用凹部３２の下方には、上記係止用鍔部２１に弾性係合する係合片３１が適宜な間隔で設けられ、図３に示すように、この係合片３１の上面３１１は傾斜面とされ、下面３１２は略水平面とされている。
【００２３】
つぎに、上記カバー部Ｂを集水器本体Ａに装着する方法について図面を参照して説明する。まず、建築物の壁面等、固定面に固着された集水器本体Ａと、外観上違和感のないように、カバー部Ｂの位置を仮に合わせ、カバー部Ｂのリング部３を上記垂下筒２に外嵌する。このとき、垂下筒２の外周面に周設された係止用鍔部２１の下面２１２と係合片３１の上面３１１とは、図４（ａ）に示すように傾斜面どうしが対向する位置にある。
【００２４】
ついで、図４（ａ）に白抜き矢印で示すように、下方からリング部３を押し込む。ここで、上記したように、傾斜面どうしが対向する位置にあるため、滑り性がよくなっており、係合片３１は上記係止用鍔部２１に抗して弾性変形し、係止用鍔部２１にカチッと弾性的に係合される。
【００２５】
図４（ｂ）は、係止用鍔部２１に係合片３１を係合させた状態を示す説明図である。図４（ｂ）に示すように、係合片３１の略水平面とされた下面３１２は、係止用鍔部２１の略水平面とされた上面２１１の上に回転自在に載置される。ここで、集水器本体Ａとカバー部Ｂとは、硬質塩化ビニル樹脂から形成されているため、係合片３１の下面３１２は、係止用鍔部２１の上面２１１の上を滑り性よく移動することができる。
【００２６】
上記のようにして、垂下筒２に回転自在に装着されたカバー部Ｂは建築物の壁面等、固定面に固着された集水器本体Ａと外観上違和感なく化粧カバー部４が配置されるように、最終的な位置調整を行う。すなわち、カバー部Ｂを回転させ、リング部３の内周面上部に形成された係止用凹部３２に上記４個の係止突起２２をつぎつぎと嵌合させ、カバー部Ｂの化粧カバー部４が最も外観よく納まる位置を選んで最終的な位置とする。
【００２７】
図５は、集水部１の後面に呼び樋を通すための呼び樋導入部１４が設けられた本願発明に係る集水器を示す外観斜視図である。図６は、上記図５に示す集水器を、陸屋根を有する建物の壁面Ｗに取り付け、竪樋Ｔを接続する状態を示す説明図である。図６に示すように、本願発明の集水器は建物の意匠と直線的に調和して取り付けられ、また、雨水は上記集水器から竪樋Ｔにスムースに排水されることが示されている。なお、本実施形態においては係止突起２２が４個の場合を示したが、これに限られず６個としてもよい。また、８個としてもよい。このように、本願発明は設計変更自在であり、特許請求の範囲を逸脱しない限り、本願発明の技術的範囲に属する。
【図面の簡単な説明】
【００２８】
【図１】集水器本体とカバー部とからなる本願発明に係る集水器を分解して示す説明図。
【図２】図１における集水器本体をＸ−Ｘ線に沿う断面で示す縦断面図。
【図３】図１に示すカバー部の要部を拡大して示す部分斜視図。
【図４】（ａ）は係止用鍔部に係合片を係合させる状態を示す説明図、（ｂ）は係止用鍔部に係合片を係合させた状態を示す説明図。
【図５】呼び樋を通すための呼び樋導入部が設けられた本願発明に係る集水器を示す外観斜視図。
【図６】図５に示す集水器を陸屋根のある建物の壁面に取り付けて竪樋を接続する状態を示す説明図。
【符号の説明】
【００２９】
Ａ      集水器本体
Ｂ      カバー部
Ｔ      竪樋
Ｗ      壁面
１      集水部
１１    正面
１２    固定部
１３    落とし口
１４    呼び樋導入部
２      垂下筒
２１    係止用鍔部
２１１  上面
２１２  下面
２２    係止突起
３      リング部
３１    係合片
３１１  上面
３１２  下面
３２    係止用凹部
３３    下端部
４      化粧カバー部
５      リブ
【図１】
2009167697.tif 000003
【図２】
2009167697.tif 000004
【図３】
2009167697.tif 000005
【図４】
2009167697.tif 000006
【図５】
2009167697.tif 000007
【図６】
2009167697.tif 000008